(57)【要約】【課題】振動子の振動伝達効率を向上させることができる振動ユニット、及び振動ユニット付き座席を提供する。【解決手段】振動ユニット付き座席１Ａは、座席２と、振動ユニット５Ａと、制御手段と、を備え、車両の運転席を構成する。振動ユニット５Ａは、座部３の緩衝部材に設けられた収容凹部３４内に配設されている。振動ユニット５Ａは、振動を発生する一対の振動子７Ｌ，７Ｒと、各振動子７Ｌ，７Ｒに固定された板状部材８，８と、これら一対の振動子７Ｌ，７Ｒ及び一対の板状部材８，８を覆った包囲部材９と、を備えている。振動ユニット５Ａは、振動子７Ｌ，７Ｒの周囲に隙間なく包囲部材９の発泡ウレタンが充填されているとともに、振動子７Ｌ，７Ｒの振動面と座部３の緩衝部材との間に隙間なく包囲部材９が配されている。【選択図】図２
2018144545.tif 000002
【特許請求の範囲】
【請求項１】
座席の緩衝部材内に配設される振動ユニットであって、
振動を発生する振動子と、
前記振動子を覆った包囲部材と、を備え、
前記振動子は、少なくとも前記振動子の振動面の一部が前記包囲部材と接触している
ことを特徴とする振動ユニット。
【請求項２】
前記振動子を複数備えた
ことを特徴とする請求項１に記載の振動ユニット。
【請求項３】
前記振動子を前記座席の着座者側に押し出す押し出し手段を備えた
ことを特徴とする請求項１又は２に記載の振動ユニット。
【請求項４】
前記振動子の前記振動面と反対側の面に固定された板状部材を備えた
ことを特徴とする請求項１〜３の何れか１項に記載の振動ユニット。
【請求項５】
前記振動子がインサート成型により前記包囲部材内に配されている
ことを特徴とする請求項１〜４の何れか１項に記載の振動ユニット。
【請求項６】
請求項１〜５の何れか１項に記載の振動ユニットと前記座席とを備えた
ことを特徴とする振動ユニット付き座席。
【請求項７】
前記緩衝部材と前記包囲部材は硬度が異なっている
ことを特徴とする請求項６に記載の振動ユニット付き座席。
【請求項８】
前記緩衝部材に前記振動ユニットが収容される収容凹部が設けられ、
前記振動ユニットが前記収容凹部に着脱自在である
ことを特徴とする請求項６又は７に記載の振動ユニット付き座席。
【請求項９】
前記収容凹部が前記座席の幅方向又は前後方向に開口している
ことを特徴とする請求項８に記載の振動ユニット付き座席。
【請求項１０】
前記包囲部材は、前記収容凹部への挿入方向と直交する方向の幅が、挿入方向先端部に比して後端部が大きく形成されている
ことを特徴とする請求項８又は９に記載の振動ユニット付き座席。
【請求項１１】
前記包囲部材は、前記収容凹部への挿入方向後端部に把持部が設けられている
ことを特徴とする請求項８〜１０の何れか１項に記載の振動ユニット付き座席。
【請求項１２】
前記振動ユニットが、前記座席の幅方向の中心を通りかつ前記座席の前後方向と平行な中心軸に関して線対称に配置されている
ことを特徴とする請求項６〜１１の何れか１項に記載の振動ユニット付き座席。
【請求項１３】
前記振動ユニットが、前記座席の座部、背凭れ及びオットマンの何れかの内部に配設されている
ことを特徴とする請求項６〜１２の何れか１項に記載の振動ユニット付き座席。
【請求項１４】
車両の座席として用いられることを特徴とする請求項６〜１３の何れか１項に記載の振動ユニット付き座席。
【発明の詳細な説明】
【技術分野】
【０００１】
本発明は、振動ユニットと、それを備えた振動ユニット付き座席に関する。
【背景技術】
【０００２】
従来、車両等の座席に振動子を設け、振動子を振動させることによって着座者に対して何らかの警告を発する警告システムが提案されている（例えば、特許文献１参照）。また、特許文献１には、自車両が走行中に車線を逸脱した場合に振動子を振動させることにより警告する車両用警告システムが記載されている。
【先行技術文献】
【特許文献】
【０００３】
【特許文献１】特開２００８−１２９７１６号公報
【発明の概要】
【発明が解決しようとする課題】
【０００４】
上述したような振動子を座席の緩衝部材内に配設した場合、緩衝部材の材質によっては、振動子の振動が着座者に伝わり難く、着座者が振動を認識し難いという問題があった。
【０００５】
したがって、本発明の課題は、振動子の振動伝達効率を向上させることができる振動ユニット、及び振動ユニット付き座席を提供することが一例として挙げられる。
【課題を解決するための手段】
【０００６】
請求項１に記載の本発明の振動ユニットは、座席の緩衝部材内に配設される振動ユニットであって、振動を発生する振動子と、前記振動子を覆った包囲部材と、を備え、前記振動子は、少なくともその振動面の一部が前記包囲部材と接触していることを特徴としている。
【０００７】
請求項６に記載の本発明の振動ユニット付き座席は、請求項１〜５の何れか１項に記載の振動ユニットと前記座席とを備えたことを特徴としている。
【図面の簡単な説明】
【０００８】
【図１】本発明の実施例１にかかる振動ユニットを備えた振動ユニット付き座席を示す斜視図である。
【図２】図１の振動ユニット付き座席の概略構成を示す平面図である。
【図３】図２中のＡ−Ａ線に沿った断面図である。
【図４】図３の振動子を示す断面図である。
【図５】図１の振動ユニットを示す斜視図である。
【図６】図１の座席の座部に設けられた収容凹部に振動ユニットを挿入する様子を示す説明図である。
【図７】図１の座席の背凭れに設けられた収容凹部に振動ユニットを挿入する様子を示す説明図である。
【図８】本発明の実施例２にかかる振動ユニットを示す斜視図である。
【図９】本発明の実施例３にかかる振動ユニットを備えた振動ユニット付き座席を示す断面図である。
【図１０】本発明の実施例４にかかる振動ユニットを備えた振動ユニット付き座席の概略構成を示す平面図である。
【発明を実施するための形態】
【０００９】
以下、本発明の実施形態を説明する。本発明の実施形態にかかる振動ユニットは、座席の緩衝部材内に配設されるものであって、振動を発生する振動子と、振動子を覆った包囲部材と、を備えるものである。また、振動子は、少なくともその振動面の一部が包囲部材と接触している。このように、座席の緩衝部材と別部材の包囲部材で振動子を覆う構成を採用することで、座席の緩衝部材に応じた適切な材質の包囲部材を選択することができ、座席の座り心地の良さを確保しつつ振動子の振動効率を向上させることができる。従って、振動子の振動を十分に着座者に伝達することができる。
【００１０】
また、振動ユニットは、振動子を複数備えていてもよい。そして、振動子を独立に振動させることにより、着座者に伝達する情報パターンを増加させることができる。
【００１１】
また、振動ユニットは、振動子を座席の着座者側に押し出す押し出し手段を備えていることが好ましい。それにより、振動発生時には振動子の振動を十分に着座者に伝達することができ、振動を発生しない時には座席の座り心地の良さを確保することができる。
【００１２】
また、振動ユニットは、振動子の振動面と反対側の面に固定された板状部材を備えていることが好ましい。それにより、振動子の振動が板状部材側に伝達され難くなって主に振動面側から伝達される。従って、振動子の振動伝達効率をさらに向上させることができる。
【００１３】
また、振動ユニットは、振動子がインサート成型により包囲部材内に配されていることが好ましい。それにより、振動子を包囲部材に密着させることができ、振動子の振動伝達効率をさらに向上させることができる。
【００１４】
本発明の実施形態にかかる振動ユニット付き座席は、振動ユニットと座席とを備えたものである。
【００１５】
また、振動ユニット付き座席は、緩衝部材と包囲部材の硬度が異なっていてもよい。緩衝部材と硬度が異なる包囲部材を用いることにより、振動子の振動伝達効率をさらに向上させることや、振動子の振動伝達効率と座席の座り心地の良さとのバランスを調整することができる。
【００１６】
また、振動ユニット付き座席は、緩衝部材に振動ユニットが収容される収容凹部が設けられ、振動ユニットが収容凹部に着脱自在であることが好ましい。それにより、振動ユニットの座席への組み付け作業や振動ユニットのメンテナンス作業を容易に行うことができる。また、座席に対する振動ユニットの位置精度を高めることができる。
【００１７】
また、振動ユニット付き座席は、収容凹部が座席の幅方向又は前後方向に開口していてもよい。
【００１８】
また、包囲部材は、収容凹部への挿入方向と直交する方向の幅が、挿入方向先端部に比して後端部が大きく形成されていることが好ましい。それにより、振動ユニットの収容凹部への挿入性を良くすることができる。
【００１９】
また、包囲部材は、収容凹部への挿入方向後端部に把持部が設けられていることが好ましい。それにより、振動ユニットの収容凹部への挿抜を容易に行うことができる。
【００２０】
また、振動ユニット付き座席は、振動ユニットが、座席の幅方向の中心を通りかつ座席の前後方向と平行な中心軸に関して線対称に配置されていることが好ましい。それにより、着座者に与える振動ユニットによる違和感や異物感を低減し、座席の座り心地の良さを向上させることができる。
【００２１】
また、振動ユニットは、座席の座部の内部に配設されていてもよいし、背凭れやオットマンの内部に配設されていてもよい。また、アームレストの内部に配設されていてもよい。なお、振動ユニットは座部、背凭れ等の配設される場所で共通する振動ユニットを用いてもよいし、配設される場所に応じて異なる振動ユニットを用いてもよい。
【００２２】
また、振動ユニット付き座席は、車両の座席として用いられてもよい。
【実施例】
【００２３】
［実施例１］
本発明の実施例１にかかる「振動ユニット」及び「振動ユニット付き座席」を図１〜７を参照して説明する。図１に示す振動ユニット付き座席１Ａは、座部３及び背凭れ４を有する座席２と、振動ユニット５Ａ，６Ａと、制御手段と、を備え、車両の運転席を構成する。図１等に示す矢印Ｘは、座席２及び車両の前後方向であり、矢印Ｙは、座席２及び車両の幅方向であり、矢印Ｚは、座席２及び車両の上下方向である。
【００２４】
座部３は、着座者の臀部及び大腿部を支持するためのものであって、図３に示すように、その表面を構成するシート部材３１と、シート部材３１の内側に設けられる緩衝部材（クッション部材）３２等を有する。緩衝部材３２は、例えばウレタンフォームによって構成される。図３中の符号３０は、座部３の上面すなわち着座面である。
【００２５】
背凭れ４は、座部３の上面３０に対して交差するように延び、図７に示すように、その表面を構成するシート部材４１と、シート部材４１の内側に設けられる緩衝部材（クッション部材）４２等を有する。図７中の符号４０は、背凭れ４の前面すなわち着座者の背中と接触する面である。
【００２６】
図２に示すように、振動ユニット５Ａは、座部３の緩衝部材３２内に配設されている。振動ユニット６Ａは、背凭れ４の緩衝部材４２内に配設されている。これら振動ユニット５Ａ，６Ａは、それぞれ、振動を発生する一対の振動子７Ｌ，７Ｒと、各振動子７Ｌ，７Ｒに固定された板状部材８，８と、これら一対の振動子７Ｌ，７Ｒ及び一対の板状部材８，８を覆った包囲部材９と、を備えている。
【００２７】
図２及び図６に示すように、座部３の緩衝部材３２には、振動ユニット５Ａが収容される収容凹部３４が設けられている。収容凹部３４は、座部３の前方一方向に開口している。振動ユニット５Ａは、収容凹部３４に着脱自在に設けられており、この収容凹部３４に、図６中の矢印Ｄ１方向に挿入される。
【００２８】
図２及び図７に示すように、背凭れ４の緩衝部材４２には、振動ユニット６Ａが収容される収容凹部４４が設けられている。収容凹部４４は、背凭れ４の幅方向一方向に開口している。振動ユニット６Ａは、収容凹部４４に着脱自在に設けられており、この収容凹部４４に、図７中の矢印Ｄ２方向に挿入される。
【００２９】
このように、本実施例の振動ユニット付き座席１Ａは、緩衝部材３２に振動ユニット５Ａが収容される収容凹部３４が設けられ、緩衝部材４２に振動ユニット６Ａが収容される収容凹部４４が設けられ、振動ユニット５Ａ，６Ａが収容凹部３４，４４に着脱自在となっている。それにより、振動ユニット５Ａ，６Ａの座席２への組み付け作業や振動ユニット５Ａ，６Ａのメンテナンス作業を容易に行うことができる。また、座席２に対する振動ユニット５Ａ，６Ａの位置精度を高めることができる。
【００３０】
一対の振動子７Ｌ，７Ｒは同一構成であり、図４に示すように、ケース７１０内に磁気回路７２０が収容されたものである。ケース７１０は、背の低い円筒フレーム７１１の一端側の開口が、中央部に複数の貫通孔７１２が設けられた円形の第１板壁７１３で塞がれ、他端側の開口が円形の第２板壁７１４で塞がれたものである。
【００３１】
第１板壁７１３の略中央からは、複数の貫通孔７１２を囲むように円筒状のボビン７１５が第２板壁７１４に向かって立設されており、そのボビン７１５の外周にボイスコイル７１６が設けられている。このように、ボイスコイル７１６は、ボビン７１５を介して第１板壁７１３に固定されている。また、複数の貫通孔７１２は、第１板壁７１３と交差する方向から見たときの平面視でボイスコイル７１６の内側に相当する領域７１３ａに設けられている。
【００３２】
磁気回路７２０は、各々がリング状のプレート７２１及びマグネット７２２と円盤状のヨーク７２３とを備えている。プレート７２１及びマグネット７２２が、ボイスコイル７１６に対してギャップを開けて同軸に配置されている。プレート７２１、即ち磁気回路７２０は、ダンパ７３０を介して円筒フレーム７１１の内壁面に、第１板壁７１３に対する接離方向Ｄ１に振動可能に支持されている。
【００３３】
ボイスコイル７１６に交流信号が通電されると、磁気回路７２０が、第１板壁７１３に対する接離方向Ｄ１に振動する。また、その振動のダンパ７３０を介した反作用でケース７１０も振動する。また、ケース７１０においては、磁気回路７２０からの反作用を受けるボイスコイル７１６が固定されている第１板壁７１３が局部的に振動する。この第１板壁７１３は、特許請求の範囲に記載した「振動面」に相当する。また、第２板壁７１４は、特許請求の範囲に記載した「振動面と反対側の面」に相当する。
【００３４】
上述したように、本実施例の振動子７Ｌ，７Ｒは外磁型の磁気回路構成であるが、振動子の構成はこれに限らず、例えば、内磁型の磁気回路構成であってもよい。
【００３５】
図４に示すように、板状部材８は、振動子７Ｌ，７Ｒの第１板壁７１３（振動面）と反対側の第２板壁７１４（振動面と反対側の面）に固定されている。板状部材８は、振動子７Ｌ，７Ｒよりも一回り大きいサイズの正方形板状に形成されている。なお、板状部材８の形状は、正方形板状以外にも平面視が円や楕円等のような形状の板状としてもよい。この板状部材８を第２板壁７１４に固定することにより、振動子７Ｌ，７Ｒの振動が板状部材８側に伝達され難くなり、主に第１板壁７１３側から伝達される。また、振動ユニット５Ａ，６Ａは、第１板壁７１３が着座者側に向く向きで振動子７Ｌ，７Ｒが配置されている。これらのことにより、振動子７Ｌ，７Ｒの振動を効率良く着座者に伝達することができる。
【００３６】
また、本実施例の板状部材８はアクリルで構成されているが、アクリル以外の材質として、ポリカーボネイトやポリプロピレン等の合成樹脂を用いてもよいし、リチウム合金等の軽量な金属を用いてもよい。
【００３７】
図３及び図５に示すように、振動ユニット５Ａの包囲部材９は、一対の振動子７Ｌ，７Ｒ及び一対の板状部材８，８の全体を覆っている。包囲部材９は、直方体状に形成されている。本実施例では、包囲部材９が発泡ウレタンで構成されており、一対の振動子７Ｌ，７Ｒ及び一対の板状部材８，８が、インサート成型により包囲部材９内に配されている。振動ユニット６Ａの包囲部材９は、振動ユニット５Ａの包囲部材９と同一構成となっている。
【００３８】
図３に示すように、振動ユニット５Ａは、振動子７Ｌ，７Ｒの周囲に隙間なく包囲部材９の発泡ウレタンが充填されているとともに、振動子７Ｌ，７Ｒの第１板壁７１３と座部３の緩衝部材３２との間に隙間なく包囲部材９が配されている。同様に、振動ユニット６Ａも、振動子７Ｌ，７Ｒの周囲に隙間なく包囲部材９の発泡ウレタンが充填されているとともに、振動子７Ｌ，７Ｒの第１板壁７１３と背凭れ４の緩衝部材４２との間に隙間なく包囲部材９が配されている。これらのことにより、振動ユニット５Ａ，６Ａの振動子７Ｌ，７Ｒの振動を効率良く着座者に伝達することができる。
【００３９】
また、座部３の緩衝部材３２と、振動ユニット５Ａの包囲部材９は、硬度が異なっている。これら緩衝部材３２及び包囲部材９は、求められる振動子７Ｌ，７Ｒの振動の大きさと、求められる座席２の座り心地の良さと、に応じて最適な材料が選択されており、本実施例では、包囲部材９の硬度が緩衝部材３２よりも高い。同様に、背凭れ４の緩衝部材４２と、振動ユニット６Ａの包囲部材９も、硬度が異なっている。
【００４０】
このように、振動ユニット付き座席１Ａにおいては、振動ユニット５Ａ，６Ａが、座席２の緩衝部材３２，４２と別部材の包囲部材９で振動子７Ｌ，７Ｒを覆う構成であることから、座席２の緩衝部材３２，４２に応じた適切な材質の包囲部材９を選択することができ、座席２の座り心地の良さを確保しつつ振動子７Ｌ，７Ｒの振動効率を向上させることができる。従って、振動子７Ｌ，７Ｒの振動を十分に着座者に伝達することができる。
【００４１】
図５に示すように、振動ユニット５Ａの包囲部材９は、収容凹部３４への挿入方向後端部である後端面９２に、把持部としての引手１１が設けられている。図５中の符号９１は、挿入方向前端部である前端面である。また、図７に示すように、振動ユニット６Ａの包囲部材９は、収容凹部４４への挿入方向後端部である後端面に、把持部としての紐１２が設けられている。これら引手１１、紐１２により、振動ユニット５Ａ，６Ａの収容凹部３４，４４への挿抜を容易に行うことができる。
【００４２】
上記制御手段は、振動ユニット５Ａ，６Ａの振動子７Ｌ，７Ｒに流す電流を制御することにより、各振動子７Ｌ，７Ｒの振動を独立に制御する。制御手段は、例えば、着座者に装着される心拍センサと、振動子７Ｌ，７Ｒを制御する制御部と、信号を増幅するためのアンプと、を備え、運転者たる着座者が漫然と運転しているような場合に、振動子７Ｌ，７Ｒを振動させることでその旨を報知するといった制御を行う。このように、振動ユニット５Ａ，６Ａが複数の振動子７Ｌ，７Ｒを備え、各振動子７Ｌ，７Ｒを独立に振動させることにより、着座者に伝達する情報パターンを増加させることができる。
【００４３】
図２及び図３に示すように、振動ユニット５Ａ，６Ａは、座席２の幅方向の中心を通りかつ座席２の前後方向と平行な中心軸Ｐに関して線対称に配置されている。また、振動ユニット５Ａ，６Ａは、それぞれ、一方の振動子７Ｌと他方の振動子７Ｒが、中心軸Ｐに関して線対称に配置されている。これらのことにより、着座者に与える振動ユニット５Ａ，６Ａによる違和感や異物感を低減し、座席２の座り心地の良さを向上させることができる。
【００４４】
また、本実施例においては、振動ユニット５Ａの振動子７Ｌ，７Ｒと振動ユニット６Ａの振動子７Ｌ，７Ｒとが同一構成かつ同じサイズであるが、必要な振動の強さを得るため、背凭れ４内に配設される振動子と座部３内に配設される振動子の振動子の大きさが異なってもよいし、背凭れ４、座部３内に配設される振動子の数が３個以上の場合、背凭れ４、座部３内の振動子の大きさが異なってもよい。
【００４５】
［実施例２］
本発明の実施例２にかかる「振動ユニット」及び「振動ユニット付き座席」を図８を参照して説明する。図８において、前述した実施例１と同一構成部分には同一符号を付して説明を省略する。
【００４６】
本実施例の振動ユニット付き座席は、実施例１と同じく、座部及び背凭れを有する座席と、図８に示す振動ユニット５Ｂと、制御手段と、を備え、車両の運転席を構成する。
【００４７】
図８に示す振動ユニット５Ｂは、一対の振動子７Ｌ，７Ｒと、各振動子７Ｌ，７Ｒに固定された板状部材８，８と、これら一対の振動子７Ｌ，７Ｒ及び一対の板状部材８，８を覆った包囲部材９Ｂと、を備えている。この振動ユニット５Ｂは、包囲部材９Ｂの外形形状以外は実施例１の振動ユニット５Ａと同一構成である。
【００４８】
包囲部材９Ｂは、収容凹部（実施例１の収容凹部３４を参照）への挿入方向Ｄ１と直交する方向の幅が、挿入方向先端部に比して後端部が大きく形成されている。すなわち、包囲部材９Ｂは、包囲部材９Ｂの前端面９１の幅Ｗ１に比して後端面９２の幅Ｗ２が大きく形成されている。また、包囲部材９Ｂは、包囲部材９Ｂの前端面９１から後端面９２にかけて徐々に幅が大きくなった先細形状に形成されている。このことにより、振動ユニット５Ｂの収容凹部への挿入性を良くすることができる。
【００４９】
また、包囲部材９Ｂは、収容凹部への挿入方向後端部である後端面９２に、把持部としての凹溝１３が設けられている。この凹溝１３は、包囲部材９Ｂを成型する金型に設けられた凸部が転写されて設けられている。この凹溝１３により、振動ユニット５Ｂの収容凹部への挿抜を容易に行うことができる。
【００５０】
［実施例３］
本発明の実施例３にかかる「振動ユニット」及び「振動ユニット付き座席」を図９を参照して説明する。図９において、前述した実施例１，２と同一構成部分には同一符号を付して説明を省略する。
【００５１】
図９に示す本実施例の振動ユニット付き座席１Ｃは、実施例１と同じく、座部３及び背凭れを有する座席と、振動ユニット５Ｃと、制御手段と、を備え、車両の運転席を構成する。
【００５２】
振動ユニット５Ｃは、一つの振動子７と、振動子７をその振動時に座席の着座者側すなわち座部３の上面３０側に押し出す押し出し手段１０と、これら振動子７及び押し出し手段１０を覆った包囲部材９と、を備えている。図９中の符号３４Ｃは、座部３の緩衝部材３２に設けられた収容凹部である。
【００５３】
押し出し手段１０は、振動子７の第２板壁７１４（振動面と反対側の面）に設けられている。押し出し手段１０は、機械的に振動子７を矢印Ｄ４方向に押し出す駆動機構で構成されている。これ以外に、押し出し手段は、エアを送り込むことにより振動子７を押し出す機構で構成されていてもよい。
【００５４】
また、振動ユニット５Ｃは、座部３の幅方向の中心を通りかつ座部３の前後方向と平行な中心軸Ｐに関して線対称に配置されている。このような振動ユニット５Ｃは、振動発生時には振動子７の振動を十分に着座者に伝達することができ、振動を発生しない時には座席の座り心地の良さを確保することができる。
【００５５】
［実施例４］
本発明の実施例４にかかる「振動ユニット」及び「振動ユニット付き座席」を図１０を参照して説明する。図１０において、前述した実施例１〜３と同一構成部分には同一符号を付して説明を省略する。
【００５６】
図１０に示す本実施例の振動ユニット付き座席１Ｄは、実施例１と同じく、座部３及び背凭れ４を有する座席２と、振動ユニット５Ｄ，５Ｅ，６Ｄ，６Ｅと、制御手段と、を備え、車両の運転席を構成する。
【００５７】
実施例１の振動ユニット５Ａ，６Ａは、一対の振動子７Ｌ，７Ｒを備えていたが、本実施例の振動ユニット５Ｄ，５Ｅ，６Ｄ，６Ｅは、それぞれ、一つの振動子（７Ｌ又は７Ｒ）と、この振動子に固定された板状部材８と、これらを覆った包囲部材９と、を備えている。
【００５８】
振動ユニット５Ｄは、座部３の緩衝部材に設けられた収容凹部３４Ｄに矢印Ｄ７方向に挿入される。振動ユニット５Ｅは、座部３の緩衝部材に設けられた収容凹部３４Ｅに矢印Ｄ６方向に挿入される。すなわち、一対の振動ユニット５Ｄ，５Ｅは、座部３の幅方向の両側からそれぞれ収容凹部３４Ｄ，３４Ｅに挿入される。また、一対の振動ユニット５Ｄ，５Ｅは、中心軸Ｐに関して線対称に配置されている。
【００５９】
振動ユニット６Ｄは、背凭れ４の緩衝部材に設けられた収容凹部４４Ｄに矢印Ｄ８方向に挿入される。振動ユニット６Ｅは、背凭れ４の緩衝部材に設けられた収容凹部４４Ｅに矢印Ｄ９方向に挿入される。すなわち、一対の振動ユニット６Ｄ，６Ｅは、背凭れ４の背面側からそれぞれ収容凹部４４Ｄ，４４Ｅに挿入される。また、一対の振動ユニット６Ｄ，６Ｅは、中心軸Ｐに関して線対称に配置されている。
【００６０】
なお、本発明は、前記実施例１〜４に限定されるものではなく、本発明の目的が達成できる他の構成等を含み、以下に示すような変形等も本発明に含まれる。
【００６１】
例えば、前記実施例１〜４では、振動子がインサート成型により包囲部材内に配されている構成であったが、本発明はこれに限定されるものではなく、シート状の包囲部材を用いて振動子全体を覆う構成であってもよい。また、開口を有する箱本体と、前記開口を覆う蓋と、から成る箱状の包囲部材の内部に振動子を収容する構成であってもよい。これらの場合、少なくとも振動子の振動面の一部が包囲部材と接触していればよい。
【００６２】
また、前記実施例１〜４では、振動ユニット付き座席が車両の座席として用いられていたが、本発明の振動ユニット及び振動ユニット付き座席は、車両以外の座席、例えば、映画館や劇場の座席、あるいは、マッサージ用椅子に用いられてもよい。
【００６３】
その他、本発明を実施するための最良の構成、方法などは、以上の記載で開示されているが、本発明は、これに限定されるものではない。すなわち、本発明は、主に特定の実施例に関して特に図示され、且つ、説明されているが、本発明の技術的思想および目的の範囲から逸脱することなく、以上述べた実施例に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００６４】
１Ａ，１Ｃ，１Ｄ  振動ユニット付き座席
２  座席
５Ａ，５Ｂ，５Ｃ，５Ｄ，５Ｅ，６Ａ，６Ｄ，６Ｅ  振動ユニット
７，７Ｌ，７Ｒ  振動子
９，９Ｂ  包囲部材
３２，４２  緩衝部材
７１３  第１板壁（振動面）
【図１】
2018144545.tif 000003
【図２】
2018144545.tif 000004
【図３】
2018144545.tif 000005
【図４】
2018144545.tif 000006
【図５】
2018144545.tif 000007
【図６】
2018144545.tif 000008
【図７】
2018144545.tif 000009
【図８】
2018144545.tif 000010
【図９】
2018144545.tif 000011
【図１０】
2018144545.tif 000012